(57)【要約】【課題】  従来の日除けパラソルでは日照下では傘生地自体も比較的高温になっており、パラソルの下では、直射日光に対して遮光はされているものの、傘生地からの輻射熱によって、かなり暑さを感じながらの供用となっている。【解決手段】本発明により、傘生地の温度上昇を極力抑制し、傘生地からの輻射熱を低減させると伴に、風通しを良くし、傘の下で利用者が感じる暑さを低減する。【選択図】図１
2018047193.tif 000002
【特許請求の範囲】
【請求項１】
中棒１１の先端周囲に上側傘生地用上ろくろ３を介し上側傘生地用親骨１４を放射状に設けて、その上側傘生地用親骨１４に、上側傘生地１の要所に所要の開孔を持たせた上側傘生地１を張設するとともに、
前記上側傘生地用上ろくろ３より下側の中棒１１の周囲に、上側傘生地１の開孔とは互い違いの開孔を設けた下側傘生地２を、
下側傘生地中棒留め具４を介し留めて、下側傘生地２の中間部は上側傘生地２の傘生地接合部又は上側傘生地用親骨１４から下側傘生地吊り下げ治具８により吊り下げるとともに、
下側傘生地２の先端部は上側傘生地親骨１４の先端に取り付ける上側傘生地用露先６に続いて下側傘生地用露先７を接続することで張設することを特徴とする日除けパラソル。
【請求項２】
中棒１１と上側傘生地用親骨１４に接続する上側傘生地用受け骨１３が、下側傘生地２を貫通する箇所には傘生地にスリット状の切欠きを設けることを特徴とする請求項１に記載の日除けパラソル。
【請求項３】
前記下側傘生地２の先端部は上側傘生地親骨１４の先端に取り付ける上側傘生地用露先６に続いて下側傘生地用露先７を接続することに変えて、
下側傘生地２の先端を、上側傘生地用親骨１４の先端から上側傘生地用２段留め用露先９を介して、下側傘生地用２段留め露先１０を取り付けて固定することを特徴とする請求項１又は２に記載の日除けパラソル
【請求項４】
中棒１１の先端周囲に上側傘生地用上ろくろ３を介し上側傘生地用親骨１４を放射状に設けて、その上側傘生地用親骨１４に、上側傘生地１の要所に所要の開孔を持たせた上側傘生地１を張設するとともに、
前記上側傘生地用上ろくろ３より下側の中棒１１の周囲に、下側傘生地用ろくろ５を介し下側傘生地用親骨１６を放射状に設けて、その下側傘生地用親骨１６に上側傘生地１の開孔とは互い違いの開孔を設けた下側傘生地２を張設することを特徴とする日除けパラソル。
【請求項５】
傘生地に設ける開孔の開口率は傘生地に対して１０％から４５％程度の範囲とし、開孔形状は、上下に遮光機能が得られるよう配置されことを特徴とする請求項１乃至４のいずれか一つに記載の日除けパラソル。
【発明の詳細な説明】
【技術分野】
【０００１】  本発明は二重の傘生地に通風孔を設けた日除けパラソル及びその製作に関する。
【背景技術】
【０００２】  従来の日除けパラソルは炎天下で使用した場合、直射日光を遮光する目的は果たすものの、傘生地自体が比較的高温になっており、その下では傘生地本体からの輻射熱によって、かなり暑さを感じながらの使用となっている。【０００３】  日除けで温度上昇を抑制するものとしてフラクタル日除けとして市販されているものがあるが、テラス屋根等の遮光に供するのが主で、その構造は３次元的なクラスター構造を原理としており、日除けパラソルのような開閉機構を必要とするものには適していない。（特許文献１、非特許文献１参照）
【先行技術文献】
【特許文献】
【０００４】
【特許文献１】特開２００８−１９６２５２４
【非特許文献】
【０００５】
【非特許文献１】「気象ブックス  都市を冷やすフラクタル日除け」，城山堂書店，酒井  敏，口絵３  ミニカー実験  ｐ．１２７
【発明の概要】
【発明が解決しようとする課題】
【０００６】  従来の日除けパラソルでは日照下では傘生地自体も比較的高温になっており、傘生地からの輻射熱によって、かなり暑さを感じながらの供用となっている。【０００７】  本発明は、傘生地の温度上昇を極力抑制し、傘生地からの輻射熱を低減させると伴に、風通しを良くし、傘の下で利用者が感じる暑さを低減することを目的とするものである。
【課題を解決するための手段】
【０００８】  第一の発明は、中棒１１の先端周囲に上側傘生地用上ろくろ３を介し上側傘生地用親骨１４を放射状に設けて、その上側傘生地用親骨１４に、上側傘生地１の要所に所要の開孔を持たせた上側傘生地１を張設するとともに、
前記上側傘生地用上ろくろ３より下側の中棒１１の周囲に、上側傘生地１の開孔とは互い違いの開孔を設けた下側傘生地２を、
下側傘生地中棒留め具４を介し留めて、下側傘生地２の中間部は上側傘生地２の傘生地接合部又は上側傘生地用親骨１４から下側傘生地吊り下げ治具８により吊り下げるとともに、
下側傘生地２の先端部は上側傘生地親骨１４の先端に取り付ける上側傘生地用露先６に続いて下側傘生地用露先７を接続することで張設するものである。【０００９】  第２の発明は、二中棒１１と上側傘生地用親骨１４に接続する上側傘生地用受け骨１３が、下側傘生地２を貫通する箇所には傘生地にスリット状の切欠きを設けたものである。【００１０】  第３の発明は、前記下側傘生地２の先端部は上側傘生地親骨１４の先端に取り付ける上側傘生地用露先６に続いて下側傘生地用露先７を接続することに変えて、
下側傘生地２の先端を、上側傘生地用親骨１４の先端から上側傘生地用２段留め用露先９を介して、下側傘生地用２段留め露先１０を取り付けて固定するものである。【００１１】  第４の発明は、中棒１１の先端周囲に上側傘生地用上ろくろ３を介し上側傘生地用親骨１４を放射状に設けて、その上側傘生地用親骨１４に、上側傘生地１の要所に所要の開孔を持たせた上側傘生地１を張設するとともに、
前記上側傘生地用上ろくろ３より下側の中棒１１の周囲に、下側傘生地用ろくろ５を介し下側傘生地用親骨１６を放射状に設けて、その下側傘生地用親骨１６に上側傘生地１の開孔とは互い違いの開孔を設けた下側傘生地２を張設するものである。【００１２】  第５の発明は、傘生地に設ける開孔の開口率は傘生地に対して１０％から４５％程度の範囲とし、開孔形状は、上下に遮光機能が得られるよう配置されことを特徴とする請求項１乃至４のいずれか一つに記載の日除けパラソル。
【発明の効果】
【００１３】  本発明品は従来品に対して、傘生地の温度上昇を抑制する。
【図面の簡単な説明】
【００１４】
【図１】本発明の概要図
【図２】本発明の実施形態１を示す日除けパラソルの断面図
【図３】同日除けパラソル構造の一部を説明した説明図１
【図４】同日除けパラソル構造の一部を説明した説明図２
【図５】同日除けパラソルの実施形態２を示す日除けパラソルの断面図
【図６】同日除けパラソル構造の一部を説明した説明図３
【図７】同日除けパラソルの実施形態３を示す日除けパラソルの断面図
【図８】使用状態を示す参考写真
【発明を実施するための形態】
【００１５】  以下、本発明の実施の形態を図１〜図８に基づいて説明する。
【００１６】  図１に示すように、傘生地を二重に張り、上下の傘生地には、遮光を考慮した位置に互い違いに通風の為の開孔を設ける。
【００１７】  図１では、傘生地の効率的な開孔配置とする為、開孔形状を三角形としているが、必ずしも三角形である必要は無く、四角形等でも良い。
【００１８】  開孔形状は同一形状でなくても良く、遮光性、開孔率を確保し、デザイン性、傘生地の強度、制作性から決めることで良い。
【００１９】  図２に示すように、上側傘生地１は従来の傘と同様に、中棒１１の先端周囲に上側傘生地用上ろくろ３を介し上側傘生地用親骨１４を放射状に設けて、その上側傘生地用親骨１４に、上側傘生地１の要所に所要の開孔を持たせた上側傘生地１を張設する。
【００２０】  中棒１１と上側傘生地用親骨１４に接続する上側傘生地用受け骨１３が、下側傘生地２を貫通する箇所には傘生地にスリット状の切欠きを設ける。
【００２１】  下側傘生地２は傘先端部ｃにおいて上側傘生地親骨１４の先端に取り付ける。
【００２２】  下側傘生地２の半径方向中間部は、上側傘生地１又は上側傘生地用親骨１４のａより、その下に下側傘生地２のｂを吊り下げる。
【００２３】  図３に示すように、下側傘生地２の先端は上側傘生地用親骨１４の先端ｃに上側傘生地用露先６を留め、それに続き下側傘生地用露先７を取り付け、上側傘生地用親骨１４の先端からの張力を利用して取り付ける。
【００２４】  図４に示すよう、下側傘生地２の半径方向中間部ｂにおいては、上側傘生地１の半径方向中間部ａから上側傘生地用親骨１４又は上側傘生地１の生地接合部から下側傘生地吊り下げ治具８により吊り下げることで、先端部からの張力だけでは不足して生じる下側傘生地２の開形状でのたるみを抑制する。
【００２５】  下側傘生地吊り下げ治具８により上側傘生地１及び下側傘生地２を接続する場合、上側傘生地用親骨１４あるいは各傘生地の縫い目又は、各傘生地の接続補強部から力を伝達するように取り付ければ良く、吊り下げ治具の形状は自在である。
【００２６】  図５に示すよう、下側傘生地２の傘先端部ｄは上側傘生地親骨１４の先端に設ける上側傘生地１の先端ｃと別に取り付ける。
【００２７】  図６に示すように、上側傘生地１の先端ｃと下側傘生地の先端ｄを上下に空間を設けるように、上側傘生地１を留める上側傘生地２段留め用露先９の下に下側傘生地２段留め用露先１０を取り付けて下側傘生地２の先端を留める。
【００２８】  図７に示すように、傘骨を上側だけでなく、上側傘生地用上ろくろ３より下側の中棒１１の周囲に、下側傘生地用ろくろ５を介し下側傘生地用親骨１６を放射状に設けて、その下側傘生地用親骨１６に上側傘生地１の開孔とは互い違いの開孔を設けた下側傘生地２を張設する。
【００２９】  この場合、傘骨の開閉操作を一動作で連動させるように、下ろくろ１２より、下側傘生地用受け骨１７に下側傘生地用親骨１６を接続し、更にリンク骨１５を介して上側傘生地用親骨１４に接続することで、下側傘生地用受け骨からの開閉力が下側傘生地用親骨１６と上側傘生地用親骨１４に同時に伝わる構造とする。
【００３０】  本発明品は傘生地周囲の通風を良くし、日照下での試験によれば、従来品に対して、傘生地の温度上昇を抑制し、輻射熱を低減させる効果が確認された。
【符号の説明】
【００３１】  １  上側傘生地
２  下側傘生地
３  上側傘生地用上ろくろ
４  下側傘生地中棒留め具
５  下側傘生地用上ろくろ
６  上側傘生地用露先
７  下側傘生地用露先
８  下側生地吊り下げ治具
９  上側傘生地用２段留め用露先
１０  下側傘生地用２段留め用露先
１１  中棒
１２  下ろくろ
１３  上側傘生地用受け骨
１４  上側傘生地用親骨
１５  リンク骨
１６  下側傘生地用親骨
１７  下側傘生地用受け骨
【図１】
2018047193.tif 000003
【図２】
2018047193.tif 000004
【図３】
2018047193.tif 000005
【図４】
2018047193.tif 000006
【図５】
2018047193.tif 000007
【図６】
2018047193.tif 000008
【図７】
2018047193.tif 000009
【図８】
2018047193.tif 000010